【手続補正書】
【提出日】平成16年4月28日(2004.4.28)
【手続補正１】
【補正対象書類名】明細書
【補正対象項目名】発明の名称
【補正方法】変更
【補正の内容】
【発明の名称】データ処理方法
【手続補正２】
【補正対象書類名】明細書
【補正対象項目名】特許請求の範囲
【補正方法】変更
【補正の内容】
【特許請求の範囲】
【請求項１】
複数の画像発生装置毎又はモダリティ毎のオリジナル画像データ及びその画像に関するデータを取り込んで記録装置に格納する記録工程と、前記記録装置から読み出した前記画像データ及びその画像に関するデータをオブジェクト指向の定型データに変換及び編集の処理を行う演算処理工程と、を実行するデータ処理方法において、
上記演算処理工程は、前記オリジナル画像データ及びその画像に関するデータをオブジェクト指向の定型データに変換及び編集する工程と、一つのデータを表現するのにそのデータのタグ番号と、データ長と、データ実体をセットした場所の先頭アドレス値からなるメモリアドレス値とで構成された中間定型データに変換して定義する工程と、前記中間定型データにより総ての編集処理を行う工程と、この編集処理工程が終了した後に一つのデータを表現するのにそのデータのタグ番号とデータ長とデータ実体とで構成される共通規格で定義された定型データに変換する工程と、を含むことを特徴とするデータ処理方法。
【請求項２】
上記中間定型データは、その構成データであるタグ番号とデータ長とメモリアドレス値とが総て固定長のデータで定義されていることを特徴とする請求項１記載のデータ処理方法。
【手続補正３】
【補正対象書類名】明細書
【補正対象項目名】０００１
【補正方法】変更
【補正の内容】
【０００１】
【発明の属する技術分野】
本発明は、複数の画像発生装置（例えば医用画像診断装置）毎又はモダリティ毎のオリジナルな画像データ及びその画像に関するデータをオブジェクト指向の定型データに変換及び編集を行うデータ処理方法に関し、特に、データの変換及び編集の一連の処理がスムーズにできると共に処理速度が向上し、かつメモリ容量の確保が容易となるデータ処理方法に関する。
【手続補正４】
【補正対象書類名】明細書
【補正対象項目名】０００７
【補正方法】変更
【補正の内容】
【０００７】
そこで、本発明は、このような問題点に対処し、データの変換及び編集の一連の処理がスムーズにできると共に処理速度が向上し、かつメモリ容量の確保が容易となるデータ処理方法を提供することを目的とする。
【手続補正５】
【補正対象書類名】明細書
【補正対象項目名】０００８
【補正方法】変更
【補正の内容】
【０００８】
【課題を解決するための手段】
上記目的を達成するために、本発明によるデータ処理方法は、複数の画像発生装置毎又はモダリティ毎のオリジナル画像データ及びその画像に関するデータを取り込んで記録装置に格納する記録工程と、前記記録装置から読み出した前記画像データ及びその画像に関するデータをオブジェクト指向の定型データに変換及び編集の処理を行う演算処理工程と、を実行するデータ処理方法において、上記演算処理工程は、前記オリジナル画像データ及びその画像に関するデータをオブジェクト指向の定型データに変換及び編集する工程と、一つのデータを表現するのにそのデータのタグ番号と、データ長と、データ実体をセットした場所の先頭アドレス値からなるメモリアドレス値とで構成された中間定型データに変換して定義する工程と、前記中間定型データにより総ての編集処理を行う工程と、この編集処理工程が終了した後に一つのデータを表現するのにそのデータのタグ番号とデータ長とデータ実体とで構成される共通規格で定義された定型データに変換する工程と、を含むものである。
【手続補正６】
【補正対象書類名】明細書
【補正対象項目名】００１０
【補正方法】変更
【補正の内容】
【００１０】
【発明の実施の形態】
以下、本発明の実施の形態を添付図面に基づいて詳細に説明する。
図１は本発明によるデータ処理方法の実施に使用するデータ変換編集装置を示すブロック図である。このデータ変換編集装置は、複数の画像発生装置（例えば医用画像診断装置）毎又はモダリティ毎のオリジナルな画像データ及びその画像に関するデータをオブジェクト指向の定型データに変換及び編集を行うもので、図１に示すように、共通バス１４と、磁気ディスク１５と、主メモリ１６と、ＣＰＵ１７と、表示メモリ１８と、ＣＲＴ１９と、キーボード２０と、マウス２１と、コントローラ２２とを備えて成る。
【手続補正７】
【補正対象書類名】明細書
【補正対象項目名】００１４
【補正方法】変更
【補正の内容】
【００１４】
ここで、上記データ変換編集装置２３を動作して実行される本発明のデータ処理方法は、図３に示すように、複数の画像発生装置毎又はモダリティ毎のオリジナルな画像データ及びその画像に関するデータを含むオリジナルデータ１をオブジェクト指向の定型データに変換及び編集する際、一つのデータを表現するのに、そのデータのタグ番号２と、データ長３と、データ実体４をセットした場所の先頭アドレス値からなるメモリアドレス値２８とで構成された中間定型データ５′に変換して定義し、この中間定型データ５′により総ての編集処理が終了したところで、一つのデータを表現するのにそのデータのタグ番号２とデータ長３とデータ実体４とで構成される共通規格（例えばＤＩＣＯＭ規格）で定義された定型データ５に変換するものである。このとき、上記中間定型データ５′は、その構成データであるタグ番号２とデータ長３とメモリアドレス値２８とが総て固定長のデータで定義されており、データ実体４のみが可変長とされている。したがって、中間定型データ５′について、タグ番号２によるデータのソート、モダリティ毎の分類等の編集処理が効率よくでき、データを有効に使用することができる。なお、以上の動作は、図１に示すＣＰＵ１７により実行される。
【手続補正８】
【補正対象書類名】明細書
【補正対象項目名】００１５
【補正方法】変更
【補正の内容】
【００１５】
次に、前記データ変換編集装置２３によるデータの変換編集において、中間定型データ５′をセットする動作の具体的な処理手順について、図４を参照して説明する。まず、図１に示す磁気ディスク１５から装置毎又はモダリティ毎のオリジナルな画像データ及びその画像に関するデータを含むオリジナルデータ１（図３参照）を読み出す（図４のステップＡ）。次に、全データセットカウンタｘの初期値をｘ＝０とセットする（ステップＢ）。また、オブジェクト毎のデータセットカウンタｙの初期値をｙ＝０とセットする（ステップＣ）。
【手続補正９】
【補正対象書類名】明細書
【補正対象項目名】００２２
【補正方法】変更
【補正の内容】
【００２２】
【発明の効果】
本発明は以上のように構成されたので、複数の画像発生装置毎又はモダリティ毎のオリジナル画像データ及びその画像に関するデータをオブジェクト指向の定型データに変換及び編集する際、一つのデータを表現するのにそのデータのタグ番号と、データ長と、データ実体をセットした場所の先頭アドレス値からなるメモリアドレス値とで構成された中間定型データに変換して定義し、この中間定型データにより総ての編集処理が終了したところで、一つのデータを表現するのにそのデータのタグ番号とデータ長とデータ実体とで構成される共通規格で定義された定型データに変換することができる。これにより、上記中間定型データにより編集処理を実行する際は、可変長のデータ実体を別にして処理することができ、データの変換及び編集の一連の処理がスムーズにできると共に処理速度が向上し、かつメモリ容量の確保が容易となる。また、可変長のデータ実体を別にして処理するので、モダリティが異なるがデータ内容が同じデータに関して二重、三重にセットすることがなく、処理時間、メモリ容量を効率的に活用することがきる。
【手続補正１０】
【補正対象書類名】明細書
【補正対象項目名】図１
【補正方法】変更
【補正の内容】
【図１】  本発明によるデータ処理方法の実施に使用するデータ変換編集装置
を示すブロック図である。
【手続補正１１】
【補正対象書類名】明細書
【補正対象項目名】図２
【補正方法】変更
【補正の内容】
【図２】  上記データ変換編集装置を使用して、例えば或る医療施設と他の場
所の他の医療施設との間において、各装置間で情報交換を行う場合を示す説明図である。
【手続補正１２】
【補正対象書類名】明細書
【補正対象項目名】図３
【補正方法】変更
【補正の内容】
【図３】  上記データ変換編集装置を動作して実行される本発明のデータ処理
方法を示す説明図である。
【手続補正１３】
【補正対象書類名】明細書
【補正対象項目名】図４
【補正方法】変更
【補正の内容】
【図４】  上記データ変換編集装置によるデータの変換編集において、中間定
型データをセットする動作の具体的な処理手順を示すフローチャートである。